(57)【要約】      （修正有）【課題】片手による操作でも簡単に蓋体を容器本体から取り外すことができる包装用容器を提供する。【解決手段】蓋体３０は、該蓋体の五角形以上の多角形状の嵌合部４０に形成された係止凸部４１が容器本体１０の開口部周縁１３に引っ掛かることにより容器本体１０に係止されており、蓋体３０の係止凸部４１は、該蓋体３０の嵌合部４０の２以上の角部に形成されているとともに、該蓋体３０の嵌合部４０の少なくとも１つの角部には形成されていない包装用容器１とした。【選択図】図１
0003221145.tif 000002
【実用新案登録請求の範囲】
【請求項１】
開口部の外周形状が上面視において五角形以上の多角形状である容器本体と、該容器本体の開口部周縁に外嵌合される同様の多角形状の嵌合部を有する蓋体とからなる包装用容器であって、
上記蓋体は、該蓋体の嵌合部に形成された係止凸部が上記容器本体の開口部周縁に引っ掛かることにより容器本体に係止されており、
上記係止凸部は、該蓋体の嵌合部の２以上の角部に形成されているとともに、
該蓋体の嵌合部の少なくとも１つの角部には形成されていないことを特徴とする包装用容器。
【請求項２】
上記蓋体は、上記係止凸部が形成されていない角部と隣り合う角部のうち少なくとも１つの角部に操作部を有することを特徴とする、請求項１に記載の包装用容器。
【請求項３】
上記蓋体は、上記操作部を有する角部と隣り合う２つの角部のいずれにも上記係止凸部が形成されていないことを特徴とする、請求項２に記載の包装用容器。
【請求項４】
上記容器本体は、開口部の外周形状が上面視において六角形状又は八角形状であることを特徴とする、請求項１〜３のいずれかに記載の包装用容器。
【請求項５】
上記容器本体は、開口部の外周形状が上面視において八角形状であることを特徴とする、請求項１〜３のいずれかに記載の包装用容器。
【請求項６】
上記蓋体は、上記係止凸部が形成されている角部と係止凸部が形成されていない角部とを交互に有することを特徴とする、請求項４又は５に記載の包装用容器。
【請求項７】
上記係止凸部の突出高さが０．２〜１．０ｍｍであることを特徴とする、請求項１〜６のいずれかに記載の包装用容器。
【請求項８】
上記係止凸部が長さ３〜６０ｍｍ、幅０．５〜３ｍｍの突条であることを特徴とする、請求項１〜７のいずれかに記載の包装用容器。
【請求項９】
上記係止凸部の周方向垂直断面形状が略台形であることを特徴とする、請求項１〜８のいずれかに記載の包装用容器。
【請求項１０】
上記係止凸部が嵌合部の角部の頂点を挟んで形成された２つの小凸部からなることを特徴とする、請求項１〜９のいずれかに記載の包装用容器。
【請求項１１】
上記蓋体は、嵌合部の辺部のうち少なくとも１つの辺部にも上記容器本体の開口部周縁に係止される係止凸部が形成されていることを特徴とする、請求項１〜１０のいずれかに記載の包装用容器。
【請求項１２】
開口部の外周形状が上面視において五角形以上の多角形状である容器本体に外嵌合される同様の多角形状の嵌合部を有する蓋体であって、
上記蓋体は、その嵌合部に上記容器本体の開口部周縁に引っ掛かることにより該蓋体を容器本体に係止するための係止凸部を有し、
上記係止凸部は、該蓋体の嵌合部の２以上の角部に形成されているとともに、
該蓋体の嵌合部の少なくとも１つの角部には形成されていないことを特徴とする蓋体。
【考案の詳細な説明】
【技術分野】
【０００１】
本考案は、包装用容器に関し、特に開口部の外周形状を五角形以上の多角形状とした容器本体と蓋体とからなり、蓋体をスムーズに容器本体から取り外すことができる包装用容器及び蓋体に関するものである。
【背景技術】
【０００２】
惣菜等の食品、その他の加工食品類を収容する包装用容器においては、多様な形状の容器本体と、これに対応した蓋体の形状が提案されている。このような包装用容器の一般的な特徴として、容器本体の開口部の周縁にフランジ部が形成され、蓋体側に前記容器本体のフランジ部に係合する係止凸部が設けられ、蓋体の係止凸部が容器本体のフランジ部と係合して挟み込むことより、蓋体が容器本体に係止する構造となっている。
【０００３】
通常、上記した容器本体への蓋体の係止構造においては、流通、販売時の取り扱い性等を考慮して、比較的強固に蓋体は容器本体に係止されている。そのため、蓋体を容器本体から取り外そうとする際、その取り外しは必ずしもスムーズに行えるものではなかった。
そこで、流通・販売時の嵌着性を維持しながらも、なるべく簡単に蓋体を容器本体から取り外すことができる容器が要望され、種々の容器の提案がなされている。
【０００４】
例えば、特許文献１には、蓋体に、一部を上方に膨出させて形成した隆起部を有するつまみを形成し、剛性を高めてたわみ変形し難いものとし、該つまみの持ち上げ力が蓋体に伝わり易いものとして小さい力で容易に蓋体を容器本体から取り外すことのできる容器が提案されている。
【先行技術文献】
【特許文献】
【０００５】
【特許文献１】特開２００５−１６２３０２号公報
【考案の概要】
【考案が解決しようとする課題】
【０００６】
しかしながら、上記した特許文献１に記載された容器は、開口部の外周形状を円形とする形状の容器においては一定の効果を発揮するものの、他の形状においては必ずしも満足する取り外し性を有するものではなかった。
【０００７】
現状、簡単に蓋体を容器本体から取り外し可能な容器は、そのほとんどが上記した特許文献１に開示されたような開口部の外周形状が円形のものであり、開口部の外周形状が多角形状の容器においては、容器の開封時に角部が引っ掛かるために蓋体が取り外し難いものであった。特に５以上の角部を有する多角形状の容器においては、隣り合う角部に設けられた係止凸部間の距離が短くなるため、蓋体の取り外し難い傾向がより顕著であった。
【０００８】
本考案は、上述した背景技術が有する課題に鑑み成されたものであって、その目的は、開口部の外周形状が五角形以上の多角形状である容器本体に係止される蓋体においても、片手による操作で簡単に蓋体を容器本体から取り外すことができる構造を備えた包装用容器及び蓋体を提供することにある。
【課題を解決するための手段】
【０００９】
上記した目的を達成するため、本考案は、次の〔１〕〜〔１２〕に記載の包装用容器及び蓋体とした。
〔１〕開口部の外周形状が上面視において五角形以上の多角形状である容器本体と、該容器本体の開口部周縁に外嵌合される同様の多角形状の嵌合部を有する蓋体とからなる包装用容器であって、
上記蓋体は、該蓋体の嵌合部に形成された係止凸部が上記容器本体の開口部周縁に引っ掛かることにより容器本体に係止されており、
上記係止凸部は、該蓋体の嵌合部の２以上の角部に形成されているとともに、
該蓋体の嵌合部の少なくとも１つの角部には形成されていないことを特徴とする包装用容器。
〔２〕上記蓋体は、上記係止凸部が形成されていない角部と隣り合う角部のうち少なくとも１つの角部に操作部を有することを特徴とする、上記〔１〕に記載の包装用容器。
〔３〕上記蓋体は、上記操作部を有する角部と隣り合う２つの角部のいずれにも上記係止凸部が形成されていないことを特徴とする、上記〔２〕に記載の包装用容器。
〔４〕上記容器本体は、開口部の外周形状が上面視において六角形状又は八角形状であることを特徴とする、上記〔１〕〜〔３〕のいずれかに記載の包装用容器。
〔５〕上記容器本体は、開口部の外周形状が上面視において八角形状であることを特徴とする、上記〔１〕〜〔３〕のいずれかに記載の包装用容器。
〔６〕上記蓋体は、上記係止凸部が形成されている角部と係止凸部が形成されていない角部とを交互に有することを特徴とする、上記〔４〕又は〔５〕に記載の包装用容器。
〔７〕上記係止凸部の突出高さが０．２〜１．０ｍｍであることを特徴とする、上記〔１〕〜〔６〕のいずれかに記載の包装用容器。
〔８〕上記係止凸部が長さ３〜６０ｍｍ、幅０．５〜３ｍｍの突条であることを特徴とする、上記〔１〕〜〔７〕のいずれかに記載の包装用容器。
〔９〕上記係止凸部の周方向垂直断面形状が略台形であることを特徴とする、上記〔１〕〜〔８〕のいずれかに記載の包装用容器。
〔１０〕上記係止凸部が嵌合部の角部の頂点を挟んで形成された２つの小凸部からなることを特徴とする、上記〔１〕〜〔９〕のいずれかに記載の包装用容器。
〔１１〕上記蓋体は、嵌合部の辺部のうち少なくとも１つの辺部にも上記容器本体の開口部周縁に係止される係止凸部が形成されていることを特徴とする、上記〔１〕〜〔１０〕のいずれかに記載の包装用容器。
〔１２〕開口部の外周形状が上面視において五角形以上の多角形状である容器本体に外嵌合される同様の多角形状の嵌合部を有する蓋体であって、
上記蓋体は、その嵌合部に上記容器本体の開口部周縁に引っ掛かることにより該蓋体を容器本体に係止するための係止凸部を有し、
上記係止凸部は、該蓋体の嵌合部の２以上の角部に形成されているとともに、
該蓋体の嵌合部の少なくとも１つの角部には形成されていないことを特徴とする蓋体。
【考案の効果】
【００１０】
本考案に係る包装用容器は、五角形以上の多角形状の開口部周縁を有する容器本体に係止される蓋体にあっても、内容物の包装時の外れ難さ（嵌着性）を維持しつつ、開封時に蓋体を容器本体から容易に取り外すことができるものとなる。
【図面の簡単な説明】
【００１１】
【図１】本考案に係る包装用容器の一実施形態の開蓋状態を示した斜視図である。
【図２】本考案に係る包装用容器の一実施形態の蓋体の平面図である。
【図３】蓋体の嵌合部に設ける係止凸部と操作部の種々の位置関係を例示した概念的な平面図である。
【図４】本考案に係る包装用容器の一実施形態の閉蓋状態を示した要部断面図である。
【図５】図４に示した包装用容器において蓋体を取り外す状態を示した要部断面図である。
【考案を実施するための形態】
【００１２】
以下、本考案に係る包装用容器及び蓋体の実施形態について、図面に基づいて詳細に説明する。
【００１３】
本考案に係る包装用容器１は、図１等に示したように、上面視において五角形以上の多角形状、例えば、五角形状、六角形状、八角形状、十角形状等の多角形状の開口部の外周形状を有する容器本体１０と、該容器本体１０の開口部周縁に外嵌合される同様の多角形状の嵌合部を有する蓋体３０とを備える。図示した実施形態においては、平面視において正八角形状の開口部２０を有する容器本体１０と、同様に正八角形状の嵌合部４０を有する蓋体３０を開示している。
容器本体１０の開口部２０の外周形状、また蓋体３０の嵌合部４０の形状としては、上記した中でも六角形状又は八角形状であることが好ましく、八角形状であることがより好ましく、図示した正八角形状であることが特に好ましい。
なお、本考案において多角形状とは、角部が、辺同士により接合された角になっている形態に加え、辺同士の接合部分が湾曲状に面取りされた形態も含まれる。また、辺部が、外方或いは内方に湾曲しているものも含まれる。
【００１４】
上記多角形状の容器本体１０及び蓋体３０は、特に限定されるものではないが、ポリエチレン、ポリプロピレン、ポリスチレン、ポリエチレンテレフタレート、ポリ乳酸等の合成樹脂シートを所定形状に成形して得ることができる。また、容器本体１０の合成樹脂シートは発泡シートであってもよい。
【００１５】
容器本体１０、蓋体３０を形成する合成樹脂シートの厚さは適宜ではあるものの、概ね１ｍｍ以下の厚さである。容器本体１０と蓋体３０の組み合わせにおいて、合成樹脂シートの原料樹脂を同一種類としても異なる種類としてもよい。合成樹脂シートを構成する樹脂の種類は、用途、内容物、包装対象により適宜選択される。なお、加工性、強度等の観点から、ポリプロピレン系樹脂シートを用いることが好ましい。
【００１６】
容器本体１０は、底部１１と、該底部１１から起立した側壁部１２と、該側壁部１２から外方側に突出したフランジ部１３を備え、上記したように、上面視において五角形以上の多角形状の開口部２０の外周形状を有するものに形成されている。また、図示したように、容器本体の底部１１には、補強を兼ねて台座の作用を果たす下方に突出した環状凸部１４が形成されていることが好ましい。また、側壁部１２は、上記底部１１から上方ほど外方に広がる傾斜面に形成されていることが好ましい。側壁部１２の形状を傾斜構造とすることにより、内容物を包装した際に、内容物と容器本体との間に隙間が形成されることがなく、また、内容物を包装時の形状に維持しやすいため、内容物を見栄え良く包装することができる。上記観点から、チャーハン等の食品を丸く型取った状態で包装する場合には、側壁部１２に傾斜を設けることがより好ましい。本考案によれば、このような容器底部が傾斜して形成されている容器本体においても、簡単に蓋体を容器本体から取り外すことができる。
【００１７】
なお、容器本体１０は、開口部２０の外周形状が上面視において五角形以上の多角形状であるが、内容物を収納する内部の形状は問わない。具体的には、開口部の外周形状と同様の多角形状でもよく、開口部の外周形状と異なる多角形状、円形、楕円形、四角形、三角形等であってもよい。図示した実施形態においては、容器本体１０の内部の形状は、円形に形成されている。
【００１８】
蓋体３０は、天板部３１と、該天板部３１の周縁から垂れ下がる周壁部３２と、上記容器本体１０に対し該蓋体が閉蓋状態であるとき、容器本体１０のフランジ部１３に外嵌合する嵌合部４０とを有し、少なくとも蓋体の嵌合部４０は、上記したように容器本体１０の開口部２０の外周形状と同形の多角形状に形成されている。
【００１９】
蓋体の天板部３１には、複数の容器を重ねる際に留め具として作用する凸部３３が形成されていることが好ましい。図示した実施形態においては、八角形状の天板部３１の辺部に沿って一つ置きに４本の凸部３３が形成されている。この凸部３３は、天板部の辺部に沿って形成された環状凸部として実現してもよい。蓋体の側壁部３２は、上記天板部３１から下方ほど外方に広がる傾斜面に形成されている。
【００２０】
蓋体の嵌合部４０は、図示した実施形態においては、容器本体のフランジ部１３に重なる水平部４０ａと、該水平部４０ａの周縁から垂れ下がる垂下部４０ｂとからなる。この蓋体の嵌合部４０には、上記容器本体の開口部周縁に形成されたフランジ部１３に引っ掛かる係止凸部４１が形成されている。本考案は、五角形以上の多角形状の開口部の外周形状を有する容器において、この係止凸部４１が、蓋体の嵌合部４０の２以上の角部に形成されているとともに、少なくとも１つの角部には形成されていないことを特徴とする。
係止凸部が少なくとも２以上の角部に形成されていることにより、容器が撓んだ際のねじれ等による開封を良好に防止でき、内容物の包装時の蓋体の外れ難さ（嵌着性）を維持することができる。なお、係止凸部が形成されていない、又は１の角部にのみ形成されている場合には、後述する辺部の係止凸部４４を設けた場合であっても、嵌着性を維持することができず、輸送や販売等の過程において蓋体が容易に容器本体から外れるおそれがある。
一方、係止凸部が形成されていない角部が存在することにより、五角形以上の多角形状の開口部を有する容器本体に係止される蓋体においても、蓋体の取り外し性を確保することができる。この理由は、後述する。なお、全ての角部に係止凸部が形成されている場合には、容器本体と蓋体との篏合強度が高くなりすぎるため、蓋体の取り外し性が損なわれるおそれがある。
【００２１】
上記蓋体の嵌合部４０の角部に形成された係止凸部４１の突出高さは、０．２〜１．０ｍｍであることが好ましい。係止凸部４１の突出高さが上記範囲内であると、嵌着性と取り外し性のバランスにより優れる容器となる。上記観点から、係止凸部４１の突出高さは０．４〜０．８ｍｍであることがより好ましい。
【００２２】
また、係止凸部４１は、長さ３〜６０ｍｍ、幅０．５〜３ｍｍの突条であることが好ましく、長さ５〜２０ｍｍ、幅０．７〜２ｍｍの突条であることが更に好ましい。
【００２３】
係止凸部４１は、角部の頂点を挟んで形成された２つの小凸部からなるものとすることが好ましい。係止凸部４１を上記のように構成することにより、係止凸部を隔てる角部先端に蒸気抜きのための通路を設けることができるためである。また、開封時に係止凸部が引っ掛かり難いものとなって、蓋体の取り外しがより容易なものとなるために好ましい。
【００２４】
係止凸部４１の周方向垂直断面形状は、略台形とすることが好ましい。係止凸部４１の周方向垂直断面形状を略台形とすることにより、蓋体の取り外し性がよいものとなる。
【００２５】
図示した実施形態においては、突出高さ０．５ｍｍ、長さ１０ｍｍ、幅１．５ｍｍ、周方向垂直断面形状が略台形の小凸部を、角部を挟んでそれぞれ２個形成したものとし、係止凸部を隔てる角部先端に蒸気抜きのための通路４２を形成したものとしている。
【００２６】
蓋体の嵌合部４０には、上記係止凸部４１が形成されていない角部と隣り合う角部のうち少なくとも１つの角部に操作部４３が形成されていることが好ましい。本考案において、操作部とは、蓋体を取り外すために指を引っ掛ける操作に供される部分をいい、つまみ、ヒレ、突起等だけでなく、目印など、当該角部に指を引っ掛けて開封するように誘導することができる全てを含むものである。目印とは、例えば、矢印、切れ込み、シール貼り等が例示される。中でも、操作部は蓋体の取り外し性向上の観点から、指を引っ掛けることができる一定の面積を有するつまみであることが好ましい。具体的には、嵌合部の外方に張り出すようにして形成された略三角形状又は略半円形状のつまみが好ましく例示される。
【００２７】
上記蓋体の嵌合部４０に、上記係止凸部４１が形成されていない角部と隣り合う角部のうち少なくとも１つの角部に操作部４３が形成されていることにより、五角形以上の多角形状の開口部の外周形状を有する容器本体に係止される蓋体においても、片手による操作で簡単に蓋体を容器本体から取り外すことができる
【００２８】
図示した実施形態においては、嵌合部４０の八つの角部に一つ置きに係止凸部４１が形成された蓋体３０に、係止凸部４１が形成された対向する２カ所の角部にそれぞれ外方に突出した略三角形状のつまみを設けることにより操作部４３が実現されている。この実施形態に係るつまみからなる操作部４３は、その板面に小さな凹凸４３ａが形成され、つまんだ際に滑り難いものとされている。また該操作部４３を有する角部と隣り合う２つの角部のいずれにも係止凸部が形成されていないものとなっている。
【００２９】
上記係止凸部４１の形成位置と操作部４３の形成位置の関係としては、例えば図３に示したものが挙げられ、上記係止凸部４１が形成されていない角部と隣り合う角部のうち少なくとも１つの角部に操作部４３が形成されていればどのような配置であってもよい。中でも、蓋体の取り外し性をより向上させる観点から、図３（ａ），（ｂ），（ｄ），（ｅ）に示したように、操作部４３を有する角部と隣り合う２つの角部のいずれにも係止凸部が形成されていないことが好ましい。
なお、図３（ａ）〜（ｃ）は、八角形状の嵌合部４０を有する蓋体３０に設けられた係止凸部４１と操作部４３の位置関係を概念的に示し、図３（ｄ）〜（ｆ）は、六角形状の嵌合部４０を有する蓋体３０に設けられた係止凸部４１と操作部４３の位置関係を概念的に示した図である。
【００３０】
本考案において、容器本体と蓋体との嵌着性を維持するため、係止凸部４１は少なくとも２以上の角部に形成されている。特に、容器本体の開口部の外周形状が上面視において六角形状又は八角形状である場合には、流通・販売の過程で容器が撓んだ際のねじれによる開封を良好に防止する観点から、係止凸部４１は少なくとも対向する２以上の角部に形成されていることが好ましく、図３（ａ），（ｄ）に示したように、係止凸部４１が形成されている角部と形成されていない角部とを交互に有することがより好ましい。
【００３１】
また、蓋体の嵌合部４０には、図示した実施形態に示されているように、嵌合部の辺部にも係止凸部４４を設けることが嵌着性の観点から好ましい。この辺部に形成する係止凸部４４は、上記した角部に形成する係止凸部４１と同様に蓋体の材質、形状、大きさ等を勘案して適宜設定されるが、上記角部に設ける係止凸部４１と同様の突出高さ、長さ、幅の係止凸部４４として実現することができる。嵌着性をより向上させる観点から、係止凸部４４は少なくとも２以上の辺部に設けることが好ましい。図示した実施形態においては、嵌合部の八つの辺部の全てに、突出高さ０．５ｍｍ、長さ２０ｍｍ、幅１．５ｍｍ、長さ方向垂直断面形状が略台形の係止凸部４４が形成されている。
【００３２】
また、蓋体の嵌合部４０には、図示した実施形態に示されているように、該嵌合部を形成する水平部４０ａと周壁部３２との会合部に下方に突出する凹溝部４５を形成し、蓋体３０が閉蓋状態にあるとき、該凹溝部４５と嵌合部を形成する垂下部４０ｂとで容器本体のフランジ部１３を挟む構造（図４参照）とすることができる。凹溝部４５は蓋体においてリブとして作用し、蓋体のねじれ、撓み等をより抑制することができる。この凹溝部４５は、嵌合部を形成する水平部４０ａと周壁部３２との会合部に部分的に形成しても、その全周に亘って形成してもよい。また、この凹溝部４５は、その溝の深さは１〜５ｍｍであることが好ましく、１．５〜３ｍｍであることがより好ましい。また幅は２〜８ｍｍであることが好ましく、３〜６ｍｍであることがより好ましい。図示した実施形態においては、蒸気抜きのための通路４２が形成された角部を除いた水平部４０ａと周壁部３２との会合部の全ての部分に、突出高さ２ｍｍ、幅４ｍｍの凹溝部４５が形成されている。
【００３３】
上記のように構成された本考案に係る包装用容器が、内容物の包装時の外れ難さ（嵌着性）を維持しつつ、蓋体の取り外し性に優れるものとなる理由は、包装用容器及び蓋体が次のように作用するためである。
【００３４】
図４は、本考案に係る包装用容器１の閉蓋状態を示した要部断面図である。この図に示すように、蓋体の嵌合部４０は容器本体のフランジ部１３に外嵌合する。その際、蓋体の嵌合部４０の２以上の角部に形成された係止凸部４１が容器本体のフランジ部１３に引っ掛かり（係合し）、蓋体３０は外れ難く容器本体１０に係止される。
特に、図示した実施形態に係る包装用容器１にあっては、正八角形状の蓋体の嵌合部４０の八つの角部に一つ置きに上記した係止凸部４１を形成した構成とするとともに、嵌合部４０の辺部の全てにも係止凸部４４を形成した構成としたので、容器本体のフランジ部１３との係合が均質かつ強固なものとなり、より外れ難く係止される。また、図示した実施形態に係る包装用容器１にあっては、嵌合部４０を形成する水平部４０ａと周壁部３２との会合部に下方に突出する凹溝部４５を形成し、蓋体３０が閉蓋状態にあるとき、該凹溝部４５と嵌合部を形成する垂下部４０ｂとで容器本体のフランジ部１３を挟む構造とした。従って、図示した実施形態に係る包装用容器は、嵌着性により優れ、輸送や販売等の過程において容易に容器が外れることがより良好に防止されたものとなる。
【００３５】
一方、本考案に係る包装用容器１は、蓋体の嵌合部４０の少なくとも１つの角部には係止凸部が形成されていない構成としたので、該係止凸部が形成されていない角部と隣り合う角部から蓋体を容器本体から取り外すことにより、容易に蓋体を容器本体から取り外すことができる。図５は、前掲図４の蓋体３０を容器本体１０から取り外そうとする場合を示した要部断面図である。図示したように、取り外そうとする部位の角部に係止凸部４１が存在しても、その係止凸部４１と容器本体のフランジ部１３との係合は取り外しの際の引っ張り力により容易に外れ、その角部と隣り合う角部には係止凸部が形成されていないため、その角部は容器本体のフランジ部１３には引っ掛かることなく外れることから、蓋体３０を容器本体１０から容易に取り外すことができるものとなる。
特に、図示した実施形態に係る包装用容器にあっては、嵌合部４０の八つの角部に一つ置きに係止凸部４１が形成された蓋体３０に、係止凸部４１が形成された対向する２カ所の角部にそれぞれ操作部４３となる外方に突出した略三角形状のつまみを設けた構成としたので、蓋体３０の取り外し部位がより明確なものとなるとともに、指による取り外し操作がよりし易いものとなる。また、該取り外し部位となった操作部４３が形成された角部の隣り合う２つの角部のいずれにも係止凸部が形成されていないので、蓋体の取り外し性がより良好なものとなる。
【００３６】
以上のように、本考案に係る包装用容器１によれば、五角形以上の多角形状の開口部の外周形状を有する容器本体１０に係止される蓋体３０にあっても、内容物の包装時の外れ難さ（嵌着性）を維持しつつ、開封時に蓋体３０を容器本体１０から容易に取り外すことができるものとなる。
【００３７】
以上、本考案に係る包装用容器及び蓋体の実施形態を説明したが、本考案は、既述の実施形態に限定されるものではなく、実用新案登録請求の範囲に記載した本考案の技術的思想としての包装用容器及び蓋体の範囲内において、種々の変形及び変更が可能であることは当然である。
【産業上の利用可能性】
【００３８】
本考案に係る包装用容器は、包装時の外れ難さを維持しつつ、開封時に蓋体を容器本体から容易に取り外すことができるもので、特に、コンビニエンスストアー等において、弁当、総菜等の食品を内容物として収容し、販売するための包装用容器として好適に利用することができる。
【符号の説明】
【００３９】
１    包装用容器
１０    容器本体
１１    底部
１２    側壁部
１３    フランジ部
１４    環状凸部
２０    開口部
３０    蓋体
３１    天板部
３２    周壁部
３３    凸部
４０    嵌合部
４０ａ    水平部
４０ｂ    垂下部
４１    係止凸部
４２    通路
４３    操作部（つまみ）
４３ａ    凹凸
４４    係止凸部
４５    凹溝部
【図１】
0003221145.tif 000003
【図２】
0003221145.tif 000004
【図３】
0003221145.tif 000005
【図４】
0003221145.tif 000006
【図５】
0003221145.tif 000007